(57)【要約】【課題】  過大波高の静電気が繰り返し投入される環境下であっても使用できる２線式近接スイッチを提供し、故障の回避とメンテナンスによる稼働時間の減少を防止する。【解決手段】  被検出体が接近するコイルと、該コイルに接続して前記接近を検出する検出回路と、該検出回路を外部と接続可能にする２つの出力部とを備えた２線式近接スイッチに対して、前記コイルの端部と前記出力部とを、前記検出回路をサージから保護するサージ保護手段で接続した。【選択図】    図６
2005174731.tif 000002
【特許請求の範囲】
【請求項１】
被検出体が接近するコイルと、該コイルに接続して前記接近を検出する検出回路と、該検出回路を外部と接続可能にする２つの出力部とを備えた２線式近接スイッチであって、
前記コイルの端部と前記出力部とを、前記検出回路をサージから保護するサージ保護手段で接続した
２線式近接スイッチ。
【請求項２】
前記サージ保護手段の接続を、
前記コイルの一方の端部と前記２つの出力部とを第３サージ保護手段及び第４サージ保護手段でそれぞれ接続し、
前記コイルの他方の端部と前記２つの出力部とを第１サージ保護手段及び第２サージ保護手段でそれぞれ接続して構成した
請求項１記載の２線式近接スイッチ。
【請求項３】
前記コイルの一方の端部を前記出力部の一方と接続線で接続して、前記検出回路を該接続線、前記コイルの他方の端部、及び前記出力部の他方と接続する構成とし、
前記サージ保護手段の接続を、
前記コイルの他方の端部と前記２つの出力部とを第１サージ保護手段及び第２サージ保護手段でそれぞれ接続し、
前記コイルの一方の端部と前記出力部の他方とを第３サージ保護手段で接続して構成した
請求項１記載の２線式近接スイッチ。
【請求項４】
前記コイルの端部のいずれか一方に、サージを入力させるサージ入力手段を備えた
請求項１、２、又は３記載の２線式近接スイッチ。
【請求項５】
請求項１〜４のいずれか１つに記載の２線式近接スイッチを備えた
遊技機。
【発明の詳細な説明】
【技術分野】
【０００１】
この発明は、例えばパチンコ機等の遊技機内に内蔵して近接する金属遊技球等の被検出体を検出するような２線式近接スイッチとこれを備えた遊技機に関する。
【背景技術】
【０００２】
従来、実装基板の配線パターンを静電気放電用マイクロギャップとして使用することで、帯電遊技球に対する静電気耐力の優れた近接センサとする技術が提案されている。該近接センサは、プリント基板表面の配線パターンの一部にマイクロギャップを具備しておき、電力線パターン等から侵入した静電気を、前記マイクロギャップを介して、安定電位パターンに放電させる（特許文献１参照）。
【０００３】
また、遊技球が貫通する近接スイッチの貫通孔（コイルの内側）に配線パターンを避雷針として加工し、静電気放電突起を具備する直線２線式の近接スイッチも提案されている。該電子機器は、前記貫通孔に帯電した遊技球が入った場合に、前記避雷針（突起部）上の集電パターンを介していち早く（スイッチの他の回路部分に放電する前に）安定電位に放電させる構成で、電子部品の破壊、回路の誤動作を防止している（特許文献２参照）。
【０００４】
しかし、これらの従来技術では、静電気対策は向上したものの、完全ではなかった。  
例えば冬場では、数万ボルトもの静電気が遊技球、あるいは人体に帯電することがあり、パチンコ遊技機内部では数万ボルトの過大静電気が１０００回以上繰り返し投入されることになる。  
このように過大静電気が高頻度で投入される過酷な使用条件下では、通常条件下では想定しない確率の低い事象が発生する。
【０００５】
該事象について詳述すると、まず、検出コイルとして使用されるエナメル線は、銅材で形成した金属線の外周を保護層で被覆して形成されている。  
該保護層は非常に薄いため、外周を完全に保護層で被覆することは技術的にも困難であり、製造過程でピンホールと呼ばれる極小の隙間ができ、金属線の極小の剥き出し部分が発生する。
【０００６】
このピンホールは、その個数が一定長のエナメル線上に一定基準値以下しか存在しないのであれば、通常の絶縁性が得られるとして許容され、そのまま出荷されることとなる。これは、このようなエナメル線でコイルを形成しても、ピンホール同士が接触してショートする可能性はないに等しい確率であることから、通常の使用環境であれば問題なく使用できるためである。
【０００７】
しかし、上述したような過酷な使用条件下では、過大静電気が頻繁に投入されるため、本来放電突起に投入されるべき過大静電気が、前記ピンホールを介して検出コイルに直接投入される場合が発生する。
【０００８】
このように、稀に放電突起以外の箇所に静電気が直接投入されると、プリント基板上に実装されている電子部品に放電されるため、部品破壊等の不具合が発生していた。
【０００９】
一方、直流２線式の近接スイッチは、３線式に比較して配線コストが安く外部回路との接続も容易であるものの、外部回路との接続方法により、近接スイッチの静電気耐力が変化する問題もあった。
【００１０】
詳述すると、直流２線式近接スイッチは、そのセンシング動作を回路電流値の切り替えにて出力するため、必ず外部回路に抵抗負荷を接続し、その両端電位変化を検出させる方式となる。
【００１１】
従って、前記抵抗負荷を直流２線式近接スイッチに備えた２つの出力端のいずれに接続するかにより、抵抗負荷が接続されていない出力端は安定電位となり、抵抗負荷が接続された出力端は安定電位ではなくなる。
【００１２】
このため、前述の放電突起を安定電位側に接続していれば静電気を問題なく放電できるが、放電突起を抵抗負荷が接続された側の出力端に接続していた場合には、安定電位への放電が難しくなる。
【００１３】
すなわち、出力端からみて抵抗負荷のインピーダンスが、２線式近接スイッチの内部回路の等価インピーダンスよりも大きい場合は、放電突起から侵入した静電気は、抵抗負荷にて塞き止められ、流れ易い方向に進行し、その結果回路の破壊、焼損が発生する。
【００１４】
このように、直流２線式近接スイッチの静電気耐力は、抵抗負荷の接続方法によって左右されるため、正しく接続しなければ十分な効果が発揮できないこととなっていた。
【００１５】
【特許文献１】特開平９−４５１９４号公報
【特許文献２】特開平６−２９５６４８号公報
【発明の開示】
【発明が解決しようとする課題】
【００１６】
この発明は、上述の問題に鑑みて、過大波高の静電気が繰り返し投入される環境下であっても使用できる２線式近接スイッチを提供し、故障の回避とメンテナンスによる稼働時間の減少を防止することを目的とする。
【課題を解決するための手段】
【００１７】
この発明は、被検出体が接近するコイルと、該コイルに接続して前記接近を検出する検出回路と、該検出回路を外部と接続可能にする２つの出力部とを備えた２線式近接スイッチであって、前記コイルの端部と前記出力部とを、前記検出回路をサージから保護するサージ保護手段で接続した２線式近接スイッチであることを特徴とする。
【００１８】
前記被検出体は、パチンコ玉を形成する金属球等、検出対象物で構成することを含む。  
前記コイルは、金属線（銅線等）を保護部材（絶縁エナメル等）で被覆した導線（エナメル線等）等の部材で形成したコイルで構成することを含む。
【００１９】
前記検出回路は、発振回路と検波回路で構成する検出回路、又は、発振回路と検波回路と出力回路とで構成する検出回路等、コイルへの被検出体の接近を検出する回路で構成することを含む。
【００２０】
前記出力部は、出力端又は出力端の周辺部分等、外部へ出力する出力部で構成することを含む。
【００２１】
前記サージ保護手段は、マイクロギャップ又はアレスタ等、サージから保護する手段で構成することを含む。  
なお。サージとは、静電気等による過渡的な過電圧や過電流全般を指す。
【００２２】
前記構成により、過大波高の静電気が繰り返し投入される環境下であっても使用でき、２線式近接スイッチの故障の回避とメンテナンスによる稼働時間の減少を防止することができる。
【００２３】
この発明の態様として、前記サージ保護手段の接続を、前記コイルの一方の端部と前記２つの出力部とを第３サージ保護手段及び第４サージ保護手段でそれぞれ接続し、前記コイルの他方の端部と前記２つの出力部とを第１サージ保護手段及び第２サージ保護手段でそれぞれ接続して構成することができる。
【００２４】
これにより、外部回路の負荷抵抗が出力部のどちら側に接続されても、コイルに投入されたサージから検出回路を確実に保護することができる。
【００２５】
またこの発明の態様として、前記コイルの一方の端部を前記出力部の一方と接続線で接続して、前記検出回路を該接続線、前記コイルの他方の端部、及び前記出力部の他方と接続する構成とし、前記サージ保護手段の接続を、前記コイルの他方の端部と前記２つの出力部とを第１サージ保護手段及び第２サージ保護手段でそれぞれ接続し、前記コイルの一方の端部と前記出力部の他方とを第３サージ保護手段で接続して構成することができる。
【００２６】
これにより、外部回路の負荷抵抗が出力部のどちら側に接続されても、コイルに投入されたサージから検出回路を確実に保護することを、必要最小限のサージ保護手段で行うことができる。
【００２７】
またこの発明の態様として、前記コイルの端部のいずれか一方に、サージを入力させるサージ入力手段を備えることができる。  
前記サージ入力手段は、配線パターンの一部で形成する突起、又は金属部材で形成した突起等、サージが発生した際に該サージが入力されるように形成した手段で構成することを含む。
【００２８】
前記構成により、発生したサージをサージ入力手段に誘導することができ、該サージを前記サージ保護手段に誘導して前記検出回路をサージから保護することができる。
【００２９】
またこの発明は、前記２線式近接スイッチを備えた遊技機とすることができる。  
前記遊技機は、パチンコ機等の遊技機で構成することを含む。  
前記構成により、２線式近接スイッチの故障によって遊技中にパチンコ玉の入賞等の検出ができなくなるといった状態を回避し、快適に遊技できる遊技機を提供することができる。
【発明の効果】
【００３０】
この発明により、過大波高の静電気が繰り返し投入される環境下であっても使用できる２線式近接スイッチを提供することができ、故障の回避とメンテナンスによる稼働時間の減少を防止することができる。
【発明を実施するための最良の形態】
【００３１】
この発明の一実施形態を以下図面と共に説明する。  
まず、図１に示す分解斜視図と共に、２線式近接スイッチ１の構成について説明する。
【００３２】
２線式近接スイッチ１は、図示中央に示す貫通コイル５を巻回するコイルスプール４に回路基板１０の先端部を装着し、上記コイルスプール４の上下をシールドリング３，６でシールドし、これらを上下のケース２，７内に収納して構成する。
【００３３】
前記コイルスプール４は、貫通コイル５を巻回すると共に、回路基板１０を装着可能に形成する。  
該回路基板１０には、出力端子１１ｃ，１１ｄを備えると共に、コイル接続端子１１ａ，１１ｂを備える。該コイル接続端子１１ａ，１１ｂは、貫通コイル５のコイル線端５ａ，５ｂを数回巻回し、貫通コイル５と回路基板１０とを電気的に接続する。
【００３４】
前記シールドリング３，６には、パチンコ玉が通過する貫通口３ａ，６ａを形成し、パチンコ玉が通過可能な状態でコイルスプール４を上下で挟んでカバーする。
【００３５】
前記ケース２には、パチンコ玉が通過する貫通口２ａを備えると共に、着脱用の着脱突起２ｂを備える。  
前記ケース７には、パチンコ玉が通過する貫通口７ａを備えると共に、着脱用の着脱突起７ｂを備える。
【００３６】
以上の構成により、回路基板１０と貫通コイル５とを接続してシールドリング３，６で貫通コイル５を被覆し、図２の斜視図に示すようにケース２とケース７の着脱突起２ｂ，７ｂをそれぞれ係合させて一体化し、２線式近接スイッチ１を形成することができる。
【００３７】
このように構成した２線式近接スイッチ１は、貫通口Ｂを通過するパチンコ玉Ａに対して、避雷針となるサージ入力端子（集電パターン）１２ｅが最も近くで露出した状態となるため、パチンコ玉Ａの通過時に発生するほとんどのサージをサージ入力端子１２ｅに入力することができる。
【００３８】
なお、前記２線式近接スイッチ１は、例えばパチンコ機の遊技盤に備えたスタートチャッカ、入賞口、及び特定領域の内部に備えられる。  
該パチンコ機は、前記２線式近接スイッチ１に加えて、各装置に電力を供給する電源装置、パチンコ玉等の媒体の投入を受け付ける受容れ口（媒体処理装置）、パチンコ玉の射出強度を調整許容するハンドル（発射制御装置）、スタートチャッカへの入賞に従い特別図柄を動作させる特別図柄表示装置、遊技に基づいてパチンコ玉等の媒体を払い出す媒体払出装置、及びこれらを制御して遊技処理を実行する制御装置を備えて構成することは周知のとおりである。
【００３９】
次に、図３に示す回路基板１０の上面図、及び図４に示す配線基板１０の底面図と共に、配線基板１０に形成するプリント配線について説明する。
【００４０】
配線基板１０の上面には、図３に示すように、電子部品実装面として銅箔にて上面配線パターン１１を施し、電子部品９（図１）を実装可能に構成している。  
該上面配線パターン１１の図示右側には、外部に接続する出力端子１１ｃ，１１ｄを形成する。
【００４１】
該出力端子１１ｃ，１１ｄには、回路基板１０にスルーホール１３をそれぞれ１つずつ形成しており、該スルーホール１３を介して回路基板１０の背面側の底面配線パターン１２（後述）と電気的に接続している。
【００４２】
また、両側端（図示上下端）には貫通コイル５のコイル線端５ａ，５ｂ（図１）を巻回して接続するコイル接続端子１１ａ，１１ｂを形成する。
【００４３】
配線基板１０の底面には、図４に示すように、サージ放電発生面として銅箔にて底面配線パターン１２を施す。  
該底面配線パターン１２は、先端側（図示左側）にサージ入力端子（集電パターン）１２ｅを形成し、両側端（図示上下端）にコイル接続端子１２ａ，１２ｂを形成し、後端側（図示右側）に出力端側配線１２ｃ，１２ｄを形成する。
【００４４】
該出力端側配線１２ｃ，１２ｄには、回路基板１０にスルーホール１３をそれぞれ１つずつ形成しており、該スルーホール１３を介して前記上面配線パターン１１の出力端子１１ｃ，１１ｄと電気的に接続している。
【００４５】
また、前記コイル接続端子１２ａとコイル接続端子１１ａ（図３）、前記コイル接続端子１２ｂとコイル接続端子１１ｂ（図３）は、それぞれ貫通コイル５のコイル線端５ａ，５ｂを数回巻いた後にはんだ付けしているため、表面と裏面のコイル接続端子部のパターンが電気的に接続される。
【００４６】
前記サージ入力端子１２ｅと前記コイル接続端子１２ａは図示するように互いに接続すると共に、出力端側配線１２ｄとの近接部にマイクロギャップ１４ｃを形成し、前記出力端側配線１２ｃとの近接部に静電気放電手段としてマイクロギャップ１４ｄを形成する。
【００４７】
また、前記コイル接続端子１２ｂは、前記出力端側配線１２ｃとの近接部にマイクロギャップ１４ｂを形成し、出力端側配線１２ｄとの近接部にマイクロギャップ１４ａを形成する。
【００４８】
さらに、出力端子１１ｃと出力端子１１ｄの近接部には、マイクロギャップ１４ｅを形成する。
【００４９】
これらのマイクロギャップ１４（１４ａ〜１４ｅ）は、底面配線パターン１２の形状で形成するものであり、図５の拡大図に示すように、凸部１５と凹部１６とを近接させて形成する。
【００５０】
該凸部１５及び凹部１６は、凸部１５の中央部と凹部１６の中央部の中央距離Ｎが、凸部１５の側端部と凹部１６の側端部の側端距離Ｍに比べて短くなるように、角度の異なる山型端子（三角形に突出させた凸部１５）とＶ字型端子（Ｖ字型に凹ませた凹部１６）で形成する。
【００５１】
以上の構成により、図４に示したサージ入力端子１２ｅ又はコイル接続端子１２ａからサージが入力されると、マイクロギャップ１４ｃ又は１４ｄを介して出力端側配線１２ｄ又は１２ｃに流れ、スルーホール１３を介して出力端子１１ｃ又は１１ｄからサージを出力することができる。
【００５２】
コイル接続端子１２ｂからサージが入力された場合は、マイクロギャップ１４ａ又は１４ｂを介して出力端側配線１２ｄ又は１２ｃに流れ、スルーホール１３を介して出力端子１１ｃ又は１１ｄからサージを出力することができる。
【００５３】
マイクロギャップ１４は、図５に示したように中央距離Ｎを側端距離Ｍより短く形成しているため、放電箇所をある程度特定でき、また凸部１５と凹部１６とを対向させて形成しているため消耗が少なく長期間使用することができる。
【００５４】
次に、図６に示す回路ブロック図と共に、２線式近接スイッチ１の回路構成について説明する。
【００５５】
２線式近接スイッチ１は、貫通コイル５、発振回路２５、検波回路２６、出力回路２７、出力端（電源端子ＶＨ）１１ｃ，出力端（電源端子ＶＬ）１１ｄ、及びマイクロギャップ１４（１４ａ〜１４ｅ）で構成する。
【００５６】
貫通コイル５のコイル線端５ａ，５ｂ（前述したコイル接続端子１１ａ，１１ｂ及び出力端側配線１２ｃ，１２ｄと回路的に同一）には、発振回路２５を接続し、該発振回路２５に検波回路２６を接続し、該検波回路２６に出力回路２７を接続し、該出力回路２７に出力端子１１ｃ，１１ｄを接続している。
【００５７】
前記発振回路２５は、貫通コイル５と内部の容量によってＬＣ発振回路を構成しており、一定の周波数で発振してその出力を検波回路２６に伝えるものである。  
前記検波回路２６と出力回路２７は、前記発振回路２５の発振状態の変化に基づいてパチンコ玉等の金属体の近接を検出する信号処理部を構成している。
【００５８】
また、貫通コイル５のコイル線端５ａ，５ｂを接続するコイル接続端子１２ａ，１２ｂの周辺部分となるコイル端部２１，２２と、出力端子１１ｃ，１１ｄの周辺部分となる出力部２３，２４との間を、マイクロギャップ１４ａ，１４ｂ，１４ｃ，１４ｄでそれぞれ接続する。
【００５９】
詳述すると、コイル端部２１には、該コイル端部２１と出力部２３とを接続するマイクロギャップ１４ａと、該コイル端部２１と出力部２４とを接続するマイクロギャップ１４ｂとを接続する。これにより、１の入力系統（コイル端部２１）に対して２の出力系統（出力部２３，２４）を接続するように２系統のマイクロギャップを接続している。
【００６０】
コイル端部２２には、該コイル端部２２と出力部２３とを接続するマイクロギャップ１４ｃと、該コイル端部２２と出力部２４とを接続するマイクロギャップ１４ｄとを接続する。これにより、１の入力系統（コイル端部２２）に対して２の出力系統（出力部２３，２４）を接続するように２系統のマイクロギャップを接続している。  
さらにコイル端部２２には、サージ入力端子１２ｅを接続する。
【００６１】
また、出力部２３と出力部２４との間をマイクロギャップ１４ｅで接続する。該マイクロギャップ１４ｅは、主に電源ラインに重畳したサージを吸収する役割を持つ。  
なお、この実施形態（図６の（Ａ））では、出力部２４側に外部の負荷Ｒｘが接続されている。
【００６２】
以上の構成により、貫通コイル５にパチンコ玉が接近した場合には、これを検出することができる。詳述すると、貫通コイル５へのパチンコ玉の接近により、貫通コイル５のコンダクタンスが増加するため、発振回路２５の発振条件が変化して振幅が低下し、所定のしきい値以下となる。この振幅もしくは発振レベルの低下により検波回路２６はパチンコ玉の接近ないし通過を検知し、出力回路２７を介して物体検出信号を出力することができる。
【００６３】
また、サージ入力端子１２ｅ又は貫通コイル５にサージが投入された場合でも、外部の負荷Ｒｘが出力部２３，２４のいずれ側に接続されるかに関係なく、上記サージから各回路（発振回路２５、検波回路２６、出力回路２７）を保護することができる。
【００６４】
すなわち、図６の（Ａ）に示すように外部の負荷Ｒｘが出力部２４側に接続されている場合、貫通コイル５に投入された静電気等のサージがコイル端部２１から進入しようとすると、負荷抵抗のない方向であるマイクロギャップ１４ａを介して出力部２３から電源Ｖｃｃに放電する。この間、マイクロギャップ１４ｂでは、負荷のインピーダンスの関係で静電気放電はなく、進入したサージは全てマイクロギャップ１４ａを通過することとなる。
【００６５】
また、貫通コイル５又はサージ入力端子１２ｅに投入された静電気等のサージがコイル端部２２から進入しようとすると、負荷抵抗のない方向であるマイクロギャップ１４ｃを介して出力部２４から電源Ｖｃｃに放電する。この間、マイクロギャップ１４ｄでは、負荷のインピーダンスの関係で静電気放電はなく、進入したサージは全てマイクロギャップ１４ｃを通過することとなる。
【００６６】
（Ｂ）に示すように負荷Ｒｘが出力部２３側に接続された場合には、貫通コイル５に投入された静電気等のサージがコイル端部２１から進入しようとすると、負荷抵抗のない方向であるマイクロギャップ１４ｂを介して出力部２３から電源ＧＮＤに放電する。この間、マイクロギャップ１４ａでは、負荷のインピーダンスの関係で静電気放電はなく、進入したサージは全てマイクロギャップ１４ｂを通過することとなる。
【００６７】
またこの構成で、貫通コイル５又はサージ入力端子１２ｅに投入された静電気等のサージがコイル端部２２から進入しようとすると、負荷抵抗のない方向であるマイクロギャップ１４ｄを介して出力部２４から電源ＧＮＤに放電する。この間、マイクロギャップ１４ｃでは、負荷のインピーダンスの関係で静電気放電はなく、進入したサージは全てマイクロギャップ１４ｄを通過することとなる。
【００６８】
このように、１つの入力系統に対して２つの出力系統を接続した２系統のマイクロギャップにより、負荷Ｒｘが出力端子１１ｃ，１１ｄのいずれに接続された場合であっても各回路（発振回路２５、検波回路２６、出力回路２７）をサージから保護することができる。
【００６９】
換言すれば、複数のマイクロギャップ１４（１４ａ〜１４ｄ）を、貫通コイル５側のコイル端部２１，２２と、出力側の出力部２３，２４とを、並行関係（マイクロギャップ１４ａ，１４ｄ）及び交差関係（マイクロギャップ１４ｂ，１４ｃ）に互いに接続して並列接続することにより、負荷Ｒｘが出力端子１１ｃ，１１ｄのいずれに接続された場合であっても各回路（発振回路２５、検波回路２６、出力回路２７）をサージから保護することができる。
【００７０】
また、このような２系統のマイクロギャップをコイル端部２１，２２のそれぞれに設けることで、サージがコイル端部２１，２２のいずれから進入しようとしても確実に放電することができる。なお、前述のサージ入力端子１２ｅは、コイル端部２１側に接続しても同等の効果が得られる。
【００７１】
パチンコ機は帯電した遊技者等から頻繁に静電気投入を受け、特に冬場には毛織物を着用した利用者が絨毯を歩行した直後等に数万ボルトもの静電気が帯電する場合があるが、上記マイクロギャップの構成により、このような静電気から該２線式近接スイッチ１を保護することができる。
【００７２】
また、このような近接スイッチには、単体に要求される静電気耐力のレベルが高く、設計ノウハウも必要であり、システムの構成上から配線数は極力少ないことが望ましい等、高度な静電気耐力と少ない配線数（２線式化）の技術的両立が困難であったところ、前記２線式近接スイッチ１により技術的両立を実現することができる。
【００７３】
すなわち、外部負荷の接続方法によらず、駆動電源端子に直接通じる静電気放電ルートが確保できるため、高電圧の静電気進入が繰り返されても内部回路の静電気破壊はなく、良好な静電気耐力を持つ２線式近接スイッチ１を提供することができる。
【００７４】
さらに、コイル端部２１，２２のいずれか一方にサージ入力端子１２ｅを電気的に接続することで、サージ入力端子１２ｅ専用のマイクロギャップが不要となり、配線も簡易となってコストダウンを計ることができる。
【００７５】
次に、第２の実施形態について、図７に示す配線基板１０の底面図、及び図８に示す回路ブロック説明図と共に説明する。
【００７６】
この実施形態では、図７に示すようにマイクロギャップ１４ａ，１４ｂ，１４ｃ，１４ｅを備えており、先の実施形態のマイクロギャップ１４ｄ（図４）を省略している。
【００７７】
回路構成は、図８に示すように、コイル端部２２と出力部２４とを接続線３１で接続し、該接続線３１に発振回路２５、検波回路２６、及び出力回路２７を接続している。
【００７８】
他の構成は、前述した第１の実施形態と同一であるので、同一要素に同一符号を付してその詳細な説明を省略する。
【００７９】
以上の構成により、マイクロギャップの数を削減し、回路構成の簡易化とコストダウンを図ることができる。その上で、図８の（Ｃ），（Ｄ）に示すように出力部２３，２４の何れ側に負荷Ｒｘが接続されても適切に放電することができ、各回路（発振回路２５、検波回路２６、及び出力回路２７）をサージから保護することができる。
【００８０】
なお、前述のサージ入力端子１２ｅは、コイル端部２１側に接続しても良い。この場合も同等の効果が得られ、各回路（発振回路２５、検波回路２６、及び出力回路２７）をサージから保護することができる。
【００８１】
また、以上の各実施形態において、マイクロギャップ１４の替わりにアレスタ等の他の静電気放電手段を備えても良い。  
これにより、更に安定した静電気対策を施すことができる。
【００８２】
この発明の構成と、上述の実施形態との対応において、
この発明のコイルは、実施形態の貫通コイル５に対応し、
以下同様に、
サージ入力手段は、サージ入力端子１２ｅに対応し、
サージ保護手段は、マイクロギャップ１４ａ〜１４ｄに対応し、
第１サージ保護手段及び第２サージ保護手段は、マイクロギャップ１４ａ，１４ｂに対応し、
第３サージ保護手段は、マイクロギャップ１４ｃに対応し、
第４サージ保護手段は、マイクロギャップ１４ｄに対応し、
コイルの他方の端部は、コイル端部２１に対応し、
コイルの一方の端部は、コイル端部２２に対応し、
出力部の他方は、出力部２３に対応し、
出力部の一方は、出力部２４に対応し、
検出回路は、発振回路２５、検波回路２６、及び出力回路２７に対応し、
被検出体は、パチンコ玉Ａに対応し、
遊技機は、パチンコ機に対応するも、
この発明は、上述の実施形態の構成のみに限定されるものではなく、多くの実施の形態を得ることができる。
【図面の簡単な説明】
【００８３】
【図１】２線式近接スイッチの構成を示す分解斜視図。
【図２】一体化した２線式近接スイッチを示す外観斜視図。
【図３】配線基板の上面図。
【図４】配線基板の底面図。
【図５】マイクロギャップの拡大図。
【図６】２線式近接スイッチの回路構成を示す回路ブロック図。
【図７】第２実施形態の配線基板の底面図。
【図８】第２実施形態の２線式近接スイッチの回路構成を示す回路ブロック図。
【符号の説明】
【００８４】
１…２線式近接スイッチ
５…貫通コイル
１２ｅ…サージ入力端子
１４ａ〜１４ｄ…マイクロギャップ
２１，２２…コイル端部
２３，２４…出力部
２５…発振回路
２６…検波回路
２７…出力回路
３１…接続線
Ａ…パチンコ玉
【図１】
2005174731.tif 000003
【図２】
2005174731.tif 000004
【図３】
2005174731.tif 000005
【図４】
2005174731.tif 000006
【図５】
2005174731.tif 000007
【図６】
2005174731.tif 000008
【図７】
2005174731.tif 000009
【図８】
2005174731.tif 000010